(57)【特許請求の範囲】
【請求項１】
遊技機島に配置されるフレーム枠と、このフレーム枠に着脱される装置本体と、この装置本体を前記フレーム枠にロックするロック機構とを備える遊技媒体貸出装置において、
前記ロック機構は、前記フレーム枠側に上下に間隔をあけて凸部を設け、これら凸部に沿って移動する上下動プレートを設け、この上下動プレートに前下がりのテーパ面を有した爪部材を設け、前記装置本体側には該装置本体を前進させたときに前記上下動プレートの前記爪部材が係合する係合孔を設け、前記上下動プレートは上方向にバネ付勢されており、前記装置本体の前進時には前記テーパ面と前記係合孔とが協働して前記上下動プレートを押し下げて前進し、前記爪部材と前記係合孔との完全係合位置に至ると、前記テーパ面と前記係合孔の協働が解除されて、前記上下動プレートがバネ力で押し上げられて前記爪部材と前記係合孔とが完全係合するものであり、
前記装置本体は、前記爪部材と前記係合孔との完全係合が解除されたとき、前記フレーム枠に設けたローラに係合してその解除位置を保持する保持部材を備え、
前記保持部材は、前記装置本体の前進時に前記テーパ面と前記係合孔とが協働して前記上下動プレートを押し下げて前進する際に、前記ローラを下方から支持する当接面を備えていることを特徴とする遊技媒体貸出装置。
【請求項２】
前記上下動プレートに摘み操作部を設け、前記完全係合位置で、バネ力に抗して前記摘み操作部を押し下げると、前記上下動プレートが押し下げられて、前記爪部材と前記係合孔との完全係合が解除されることを特徴とする請求項１に記載の遊技媒体貸出装置。
【発明の詳細な説明】
【技術分野】
【０００１】
本発明は、遊技機島内に設けられたフレーム枠に着脱自在な装置本体を備える遊技媒体貸出装置に関する。
【背景技術】
【０００２】
一般に、パチンコホール等の遊技場においては、遊技者の便宜を図るために、パチンコ機やスロットマシン等の各遊技機の側方に、価値が記録されたＩＣコイン又は現金の投入によってパチンコ球やメダル等の遊技媒体を貸し出す遊技媒体貸出装置が設置されている。この種の遊技媒体貸出装置は、通常、紙幣識別ユニットやコインユニット等を有する装置本体と装置本体を保持するフレーム枠とを備え、このフレーム枠を遊技機島内に固定し、このフレーム枠に対し装置本体を前後方向に差し込んで取り付けたり、引き抜いて取り外したりすることができるようになっている。また、装置本体が不正に引き抜かれないように、装置本体をフレーム枠にロックするロック機構が装備されている。
この種のロック機構としては、装置本体の背面側の上下２個所にそれぞれ設けられた係合部材と、フレーム枠の垂直部の上下２個所にそれぞれ上記各係合部材が差し込み可能に設けられた係合孔と、上記両係合部材がそれぞれ対応する係合孔に差し込まれた状態でこの両係合部材を共に抜け止めするためのロック部材とを備えた構成が提案されている（例えば、特許文献１参照）。
【先行技術文献】
【特許文献】
【０００３】
【特許文献１】特開２００２−２６３３４０号公報
【発明の概要】
【発明が解決しようとする課題】
【０００４】
しかしながら、従来の構成では、各係合孔に対して該係合孔上を上下に移動し、係合部材を係合孔にロックするロック部材を備えるため、ロック機構の構成が複雑となるといった問題があった。更に、ロック機構の係合部材が装置本体の背面から突出して設けられているため、装置本体を引き抜いた場合に係合部材が外部に露出して損傷しやすいといった問題があった。
本発明は、上述した事情に鑑みてなされたものであり、ロック機構の構成を簡素化するとともに、損傷の抑制を図った遊技媒体貸出装置を提供することを目的とする。
【課題を解決するための手段】
【０００５】
上記目的を達成するために、本発明は、遊技機島に配置されるフレーム枠と、このフレーム枠に着脱される装置本体と、この装置本体を前記フレーム枠にロックするロック機構とを備える遊技媒体貸出装置において、前記ロック機構は、前記フレーム枠側に上下に間隔をあけて凸部を設け、これら凸部に沿って移動する上下動プレートを設け、この上下動プレートに前下がりのテーパ面を有した爪部材を設け、前記装置本体側には該装置本体を前進させたときに前記上下動プレートの前記爪部材が係合する係合孔を設け、前記上下動プレートは上方向にバネ付勢されており、前記装置本体の前進時には前記テーパ面と前記係合孔とが協働して前記上下動プレートを押し下げて前進し、前記爪部材と前記係合孔との完全係合位置に至ると、前記テーパ面と前記係合孔の協働が解除されて、前記上下動プレートがバネ力で押し上げられて前記爪部材と前記係合孔とが完全係合するものであり、
前記装置本体は、前記爪部材と前記係合孔との完全係合が解除されたとき、前記フレーム枠に設けたローラに係合してその解除位置を保持する保持部材を備え、前記保持部材は、前記装置本体の前進時に前記テーパ面と前記係合孔とが協働して前記上下動プレートを押し下げて前進する際に、前記ローラを下方から支持する当接面を備えていることを特徴とする。
【０００６】
この構成において、前記上下動プレートに摘み操作部を設け、前記完全係合位置で、バネ力に抗して前記摘み操作部を押し下げると、前記上下動プレートが押し下げられて、前記爪部材と前記係合孔との完全係合が解除される構成としても良い。
【発明の効果】
【０００７】
本発明によれば、ロック機構は、フレーム枠側に上下に間隔をあけて凸部を設け、これら凸部に沿って移動する上下動プレートを設け、この上下動プレートに前下がりのテーパ面を有した爪部材を設け、装置本体側には該装置本体を前進させたときに上下動プレートの爪部材が係合する係合孔を設け、上下動プレートは上方向にバネ付勢されており、装置本体の前進時にはテーパ面と係合孔とが協働して上下動プレートを押し下げて前進し、爪部材と係合孔との完全係合位置に至ると、テーパ面と係合孔の協働が解除されて、上下動プレートがバネ力で押し上げられて爪部材と係合孔とが完全係合するため、ロック機構の構成を簡素化することができ、装置本体をフレーム枠に容易に取り付けることができる。更に、ロック機構は、フレーム枠側に上下に間隔をあけて凸部を設け、これら凸部に沿って移動する上下動プレートを設け、この上下動プレートに前下がりのテーパ面を有した爪部材を設け、装置本体側には該装置本体を前進させたときに上下動プレートの爪部材が係合する係合孔を設けているため、装置本体を取り外したときに、爪部材が外部に露出することが防止されることにより、ロック機構の損傷の抑制を図ることができる。さらに、装置本体は、爪部材と係合孔との完全係合が解除されたとき、フレーム枠に設けたローラに係合してその解除位置を保持する保持部材を備え、保持部材は、装置本体の前進時にテーパ面と係合孔とが協働して上下動プレートを押し下げて前進する際に、ローラを下方から支持する当接面を備えているため、上下動プレートが自由落下することが防止され、ロックが勝手に解除されることを防止できる。
【図面の簡単な説明】
【０００８】
【図１】本実施形態に係るパチンコ遊技機を設置した遊技機島を示す図である。
【図２】パチンコ遊技機をＣＲユニットと共に示す斜視図である。
【図３】ＣＲユニットの内部構成を示す側面図である。
【図４】ＣＲユニットの取り外す作業を説明する斜視図である。
【図５】ＣＲユニットの分解斜視図である。
【図６】ロック機構の構成を示す部分拡大図である。
【図７】ロック機構の動作を示す図であり、Ａはロックされる前の状態を示す図であり、Ｂはロックされた状態を示す図であり、Ｃは、ロック解除を保持した状態を示す図である。
【発明を実施するための形態】
【０００９】
以下、図面を参照して本発明の一実施の形態について説明する。
図１は、本実施形態に係るパチンコ遊技機１００を設置した遊技機島（島設備ともいう）１０を示す図である。遊技機島１０は、パチンコ遊技店などの遊技場においてパチンコ遊技機１００などの複数の遊技機を設置するための設備であり、図１に示すように、略７０ｃｍの高さ位置に複数のパチンコ遊技機１００を、例えば背中合わせに２列に延びるように併設して成る。なお、遊技機島１０を遊技場の壁際に設置する場合には、壁に沿ってパチンコ遊技機１００が１列に併設される。
【００１０】
遊技機島１０の上部には、遊技者の操作により点灯／点滅して店員を呼び出す呼出ランプ１０１がパチンコ遊技機１００と１対１で対応するように設けられている。また、パチンコ遊技機１００は、プリペイド媒体を購入、或いは、プリペイド媒体に現金をチャージし、該プリペイド媒体に記録された残価値を代償として遊技球（遊技媒体）を借りて遊技する、いわゆるＣＲ機と呼ばれる遊技機であり、各パチンコ遊技機１００の左側には、パチンコ遊技機１００と１対１で対応するようにプリペイド媒体を読み取るＣＲ（Card Reader）ユニット（遊技媒体貸出装置）２００が横並びに配置されている。プリペイド媒体にはＩＣを内蔵した硬貨形状のＩＣコインが用いられている。
【００１１】
本実施形態にかかるパチンコ遊技機１００は、いわゆる、封入球式のパチンコ遊技機である。この封入球式のパチンコ遊技機（封入球式遊技機）では、例えば、遊技内容等は、従来のパチンコ遊技機と同様とすることが可能となっているとともに、外形等のサイズも同様となっており、パチンコ遊技店の現状の遊技機島１０に設置可能となっているが、遊技機島１０の球供給機構や球排出機構を用いることがないものとなっている。すなわち、パチンコ遊技機１００は、予め封入された遊技球を用い、遊技者の持球数を限度に遊技球を遊技領域に発射可能とされる。持球数は、ＣＲユニット２００に投入中のＩＣコイン等の記録媒体に記録されている獲得球数と、封入球式遊技機が保持している発射可能球数との合計値に相当する。獲得球数は、封入球式遊技機の発射可能球数をＣＲユニット２００の記録媒体に価値移行したものであり、同じ封入球式遊技機で遊技する条件の下、封入球式遊技機の発射可能球数への価値移行（払い戻し）が許可されている。発射可能球数から獲得球数への価値移行は、遊技終了に伴う記録媒体の返却操作時に行われ、このときには発射可能球数の全部が獲得球数に価値移行される。この記録媒体を同じＣＲユニット２００に再投入したときには獲得球数が発射可能球数に価値移行可能になる。なお、発射可能球数の一部だけを、他の遊技者の記録媒体の獲得球数に価値移行可能にして、持球を他の遊技者に分け与えることもできる。
封入球式遊技機で遊技球を発射すると発射された遊技球数に対応して発射可能球数のデータが減算され、また、発射された遊技球が各種入賞口や変動入賞装置等の入賞具に入賞して賞球（遊技球）が発生した場合は、実際の遊技球を払い出すことなく、前記発射可能球数のデータに賞球数が加算されるようになっている。また、発射可能球数のデータがゼロとなると、遊技球の発射ができない状態となる。この状態でＩＣコイン等の記憶媒体に記録されている獲得球数を発射可能球数に移行して発射可能球数を補充すると再び遊技球の発射が可能となる。
遊技球貸出装置に投入される記録媒体には、プリペイド残価値が記録されており、獲得球数及び発射可能球数がゼロとなり持球が無くなった場合には、球貸操作によってプリペイド残価値を対価に貸球を受けることができ、かかる貸球数が持球数に加算される。また、遊技者が遊技店に預けている遊技球（いわゆる「貯球」）を記録媒体に紐付けておくことで、貯球の払出操作によって貯球を持球数に移行することもできる。
【００１２】
また、発射された遊技球は、遊技領域に至って一部は、入賞して遊技盤の裏面側に導かれてセーフ球として回収されるとともに、残りの入賞しなかった遊技球はアウト球として回収され、これら回収された遊技球が再び発射可能な状態となり、遊技球はパチンコ遊技機１００内で循環するようになっている。
すなわち、このパチンコ遊技機１００は、発射位置の遊技球を遊技盤の前面側に形成される遊技領域に向けて発射するとともに、遊技領域の入賞具に入賞して遊技盤の裏面側に導かれたセーフ球および入賞具に入賞しないアウト球の各々を回収して、再び遊技領域に発射する封入球式の遊技機である。
【００１３】
図２は、パチンコ遊技機１００をＣＲユニット２００と共に示す斜視図である。
パチンコ遊技機１００は、図２に示すように、矩形枠状に構成された機枠１１０を備え、この機枠１１０の一側方（対応するＣＲユニット２００が配置される側方）には、該機枠１１０に対し回動可能に矩形枠状の前面枠１２０が軸支されている。また、前面枠１２０は、当該前面枠１２０に備えられる各種部材等の取付用のベースとなる前面枠本体１３０（本体枠）と、当該前面枠本体１３０に対して、その前面側に回動可能に軸支されたガラス枠１４０とを備え、前面枠本体１３０の前面のガラス枠１４０を開けると、前面枠本体１３０の下側に発射ユニット（図示略）が臨む構成となっている。
【００１４】
前面枠本体１３０は、矩形枠状の機枠１１０内にちょうど収まるように、概略矩形板状に構成されるとともに、その中央から上端部に渡る前面部分に遊技盤を嵌め込まれて収容されている。そして、前面枠本体１３０の前側には上記したガラス枠１４０が配置され、このガラス枠１４０に嵌め込まれたガラス板１４１を通じて、前面枠本体１３０に収容された遊技盤の前面側の少なくとも遊技領域の部分が視認可能となっている。
【００１５】
ガラス枠１４０の前面側には、遊技領域の視認を妨げない位置に、図２に示すように、装飾ランプ１１，…、サイドランプ１２，１２、スピーカ１３，１３等が設けられている。
パチンコ遊技機１００では、上述のように賞球の払い出しは行われず、上述の出球数（遊技球が入賞口等に入って出てきた賞球数）、入球数（遊技者が遊技機に打ち込んだ球数）、差球数（出球数から入球数を引いた球数）、持球数等は、実際の遊技球の個数ではなく、データ上の数値となる。すなわち、実際に使用される遊技球は、循環使用される、限られた所定数（遊技内容や機種によって異なるが例えば８０〜９０発）しかなく、持球数は、例えば、遊技領域に発射される遊技球を検知してカウントした発射球数、発射されたが戻ってしまった遊技球を検知してカウントしたファウル球数、遊技領域に発射されて回収された遊技球を検知してカウントした回収球数、入賞した場合の賞球数、遊技店から借りた貸球数等の数値から上述の入球数、出球数、差球数、持球数が得られる。
【００１６】
前面枠本体１３０の前面側のガラス枠１４０の下側には、表示装置としての液晶ディスプレイを有する表示ユニット１５１や、遊技球を発射する発射ユニットを操作するための回転操作式の操作ハンドル１５３などが取り付けられている。表示ユニット１５１は、例えば、持球数の情報、金額情報（ＩＣコイン等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようになっている。操作ハンドル１５３は、回転することにより発射勢を調整できるようになっている。また、操作ハンドル１５３にはタッチセンサ（図示略）が設けられ、遊技者の手を接触させることで、信号を発射制御装置（図示略）に出力し、発射制御装置の制御に基づいて発射ユニットの発射装置を作動させて遊技球を発射させる。
また、ガラス枠１４０における表示ユニット１５１の右側には、球貸ボタン１５５、及び、返却ボタン１５７が並設されている。球貸ボタン１５５は遊技球の貸し出し操作のためのボタンであり、返却ボタン１５７はＣＲユニット２００からＩＣコインを排出させるためのボタンである。球貸ボタン１５５が操作されると、パチンコ遊技機１００からＣＲユニット２００に対して球貸要求が送信され、ＩＣコインに残価値が存在する限りにおいて、ＣＲユニット２００からパチンコ遊技機１００に球貸許可指令が送信され、該パチンコ遊技機１００の持球数のデータが加算される。
【００１７】
ＣＲユニット２００は、図２に示すように、縦長の直方体型の筐体として構成され、その前面には、高額紙幣（例えば、「一万円」、「五千円」や「二千円」などの紙幣）を含む各種紙幣を挿入するための紙幣挿入口２０１、ＩＣコインを投入するためのコイン投入口２０３、把持部２０５、コイン排出口２０７、会員カード挿入口２０９が設けられている。ＣＲユニット２００は、紙幣挿入口２０１から紙幣が挿入されると、紙幣の額面に応じた価値データが記録されたＩＣコインを発行する。このＩＣコインはパチンコ遊技機１００の返却ボタン１５７の操作に応じてコイン排出口２０７から排出される。また、このＩＣコインがコイン投入口２０３に投入されると、ＣＲユニット２００はＩＣコインの残価値を読み取りパチンコ遊技機１００の表示ユニット１５１に残価値に応じた度数を表示させる。
【００１８】
ＣＲユニット２００は、装置本体２１０と、この装置本体２１０を正面から着脱自在に保持するフレーム枠２１１とを備える。装置本体２１０は、図３に示すように、縦長の直方体型の筐体２１０Ａ内に、紙幣識別ユニット２１３、コインユニット２１５、会員カード読取ユニット２１７及び制御ユニット２１９が内蔵されている。紙幣識別ユニット２１３は、紙幣挿入口２０１から挿入された紙幣の真偽判別、金種判別を行い、有効な紙幣を識別したときは受付けを許容して紙幣を内部に取込み、コインユニット２１５にて発行するＩＣコインの価値データを送信する。
コインユニット２１５は、紙幣識別ユニット２１３から送信された価値データに基づき、当該価値データが記録された新規なＩＣコインの発行、または、既存のＩＣコインに対して当該価値データを加算して記録する。また、ＩＣコインがコイン投入口２０３から投入されると、このＩＣコインに記憶された残価値を読み取り、パチンコ遊技機１００から球貸要求が送信された場合に、要求された貸球数に応じた価値データを減算して記録する。制御ユニット２１９は、ＣＲユニット２００全体を制御するものであり、対応するパチンコ遊技機１００及びホストコンピュータ（図示略）と通信することにより貸球の管理を行う。
【００１９】
一方、フレーム枠２１１は、遊技機島１０（図１）を構成する枠部材（図示略）に固定され、前後方向に延びて上下に平行して配設される上ガイドフレーム２２１及び下ガイドフレーム２２３と、その上下間を連結する垂直ガイドフレーム２２５とを備えて略コ形状に形成されている。また、下ガイドフレーム２２３の下部には、電源装置（図示略）が収容されている。各ガイドフレーム２２１、２２３及び２２５は、装置本体２１０を保持するとともに、装置本体２１０が前進または後進する際に、当該装置本体２１０をガイドするように側縁部を備え、断面略コ字形状に形成されている。なお、この図３では、垂直ガイドフレーム２２５の手前側の側縁部を一部省略して記載している。
【００２０】
ＣＲユニット２００には、図３に示すように、装置本体２１０をフレーム枠２１１にロックするロック機構２３０が設けられている。このロック機構２３０は、ＣＲユニット２００の装置本体２１０がフレーム枠２１１から不正に引き抜かれることを防止するものであるため、当該ロック機構２３０の解除操作は、遊技者が手を触れることのないＣＲユニット２００の背面側で行われることが望ましい。
ＣＲユニット２００は、上述のように、パチンコ遊技機１００の左側に配置されており、このパチンコ遊技機１００は、機枠１１０の左側に前面枠１２０が軸支されている。このため、ロック機構２３０の解除操作をする場合には、図４に示すように、前面枠１２０を開放し、機枠１１０の開口部１１０Ａを通じて行われる。この場合、ＣＲユニット２００の背面側でロック機構２３０を片手で解除しつつ、もう一方の手で把持部２０５を掴んで装置本体２１０を引き抜くのは、開放した前面枠１２０が邪魔となり、作業性が悪化していた。このため、本構成のロック機構２３０は、装置本体２１０の引き抜きを容易に行うことができるようになっている。
【００２１】
次に、ロック機構２３０について説明する。
図５は、ロック機構２３０の構成を示すＣＲユニット２００の分解斜視図である。
ロック機構２３０は、図５に示すように、フレーム枠２１１側に設けられた２つの爪部材２３１，２３１と、装置本体２１０側に設けられた２つの係合孔２４１，２４１とを備え、これら係合孔２４１，２４１に爪部材２３１，２３１がそれぞれ係合することで装置本体２１０がフレーム枠２１１にロックされる。
フレーム枠２１１の垂直ガイドフレーム２２５には、この垂直ガイドフレーム２２５の一方の側縁部２２５Ａに上下に間隔をあけて２つのガイド軸（凸部）２３２，２３２が設けられ、これらガイド軸２３２，２３２には、当該ガイド軸２３２，２３２に沿って上下に移動する上下動プレート２３３が取り付けられている。この上下動プレート２３３は、ガイド軸２３２，２３２に相当する位置に上下方向に長いガイド孔２３４，２３４を備え、このガイド孔２３４，２３４にガイド軸２３２，２３２が移動可能に取り付けられている。また、上下動プレート２３３の上端部とフレーム枠２１１との間には、コイルばね２３５が設けられ、このコイルばね２３５により上下動プレート２３３は上方向に付勢されている。
【００２２】
上下動プレート２３３は、下ガイドフレーム２２３に近い位置から、この下ガイドフレーム２２３と上ガイドフレーム２２１との中間よりも高い位置まで延びる長尺の金属部材であり、この上下動プレート２３３の上端部分及び下端部分にそれぞれガイド孔２３４，２３４が形成されている。また、この上下動プレート２３３は、ガイド孔２３４，２３４間でＬ字状に曲げた屈曲部２３３Ａを備えて長尺部材の剛性を確保している。
さらに、上下動プレート２３３は、ガイド孔２３４，２３４の近くに上記爪部材２３１，２３１を一体に備えて形成されている。この爪部材２３１は、図６に示すように、前下がりのテーパ面として形成される上面部２３１Ａと、爪部材２３１の基端側で上面部２３１Ａから下方に凹んだ係合凹部２３１Ｂとを備える。この上面部２３１Ａは、爪部材２３１を係合孔２４１内に前進させた場合に、この係合孔２４１の上縁部２４１Ａと当接し、上下動プレート２３３を下方に押し下げる。また、係合凹部２３１Ｂは、爪部材２３１の上面部２３１Ａと係合孔２４１の上縁部２４１Ａとの係合が解除されるまで、爪部材２３１が係合孔２４１内を前進した場合に係合孔２４１の上縁部２４１Ａと係合する。本構成では、爪部材２３１が係合孔２４１内を前進した際に、爪部材２３１の上面部２３１Ａと係合孔２４１の上縁部２４１Ａとの係合が解除される位置を完全係合位置という。
【００２３】
また、上下動プレート２３３の上端部には、この上下動プレート２３３を上下に移動させるための摘み操作部２３６が設けられ、この摘み操作部２３６は、ロック機構２３０を解除する際に操作されるものであり、垂直ガイドフレーム２２５の背面に形成された開口２２６を通じて外部に露出している。
さらに、上下動プレート２３３の上端部には、摘み操作部２３６とは、反対に装置本体２１０側に延びるステー２３７を備え、このステー２３７にはローラ２３８が取り付けられている。
【００２４】
一方、装置本体２１０の背面２４０には、上記爪部材２３１，２３１に対応する位置に係合孔２４１，２４１が形成されている。また、装置本体２１０の背面２４０は、この背面２４０に側端がＬ字形状に曲げられた曲げ部２４０Ａを備え、この曲げ部２４０Ａには、ガイド軸２３２，２３２に対応する位置に、当該ガイド軸２３２，２３２と係合する切欠２４２が形成されている。この切欠２４２は、装置本体２１０をフレーム枠２１１に差し込んだ際に、ガイド軸２３２，２３２と係合して装置本体２１０の位置決めをする。
また、装置本体２１０の背面には、上部の係合孔２４１よりも高い位置に、開口２４３が形成されている。この開口２４３は、上下動プレート２３３に設けたステー２３７及びローラ２３８が侵入するための開口であり、装置本体２１０内には、この開口２４３に近接して解除保持部材２４４が設けられている。この解除保持部材２４４は、摘み操作部２３６を操作してロック機構２３０を解除した場合に、この解除状態を保持するものであり、解除状態を保持することで装置本体２１０を引き抜く作業を容易化することができる。
【００２５】
この解除保持部材２４４は、金属板をＬ字形状に曲げ形成されたものであり、側面２４４Ａの下端部が軸部材２４５により筐体２１０Ａに回動自在に支持されている。また、背面２４４Ｂは、軸部材２４５と略同じ高さ位置にコイルばね２４６が設けられ、このコイルばね２４６により上方向に付勢されている。このため、解除保持部材２４４は、軸部材２４５を回動中心として図中矢印Ｘ１方向に回動するように付勢されている。
また、側面２４４Ａの上部には、上記ローラ２３８と当接する当接部２４７が形成される。この当接部２４７は、ローラ２３８に向けて下方に傾斜するテーパ面として形成され、この当接部２４７の下端には、ロック機構２３０が解除された際に、上記ローラ２３８上に位置してローラ２３８の上方への移動を規制する規制部２４８が形成されている。この規制部２４８は、軸部材２４５の略真上に設けられている。
【００２６】
次に、ロック機構２３０によるロックおよびロック解除の動作について、図７に基づいて説明する。
装置本体２１０をフレーム枠２１１に取り付ける場合には、図７（Ａ）に示すように、装置本体２１０を前面から差し込む。装置本体２１０の背面２４０が、フレーム枠２１１に設けられた爪部材２３１，２３１に到達すると、この爪部材２３１，２３１が装置本体２１０の背面２４０に形成された係合孔２４１，２４１に侵入する。そして、この爪部材２３１，２３１の上面部２３１Ａ，２３１Ａが係合孔２４１，２４１の上縁部２４１Ａ，２４１Ａと当接することで上下動プレート２３３を押し下げる。
次に、爪部材２３１，２３１が係合孔２４１，２４１との完全係合位置に至ると、図７（Ｂ）に示すように、爪部材２３１，２３１の上面部２３１Ａ，２３１Ａと係合孔２４１，２４１の上縁部２４１Ａ，２４１Ａとの当接が解除され、上下動プレート２３３がコイルばね２３５のばね力により上方に押し上げられる。これにより、爪部材２３１，２３１の係合凹部２３１Ｂ，２３１Ｂが係合孔２４１，２４１の上縁部２４１Ａ，２４１Ａと完全係合することにより、装置本体２１０がフレーム枠２１１にロックされる。
この場合、上下動プレート２３３に形成されたローラ２３８は、装置本体２１０の背面２４０に形成された開口２４３を通じて装置本体２１０内に侵入し、この装置本体２１０内に設けられた解除保持部材２４４の当接部２４７と当接し、この解除保持部材２４４を軸部材２４５を中心として図中Ｘ２方向に回動させる。この解除保持部材２４４は、コイルばね２４６により上方に付勢されて、ローラ２３８を下方から支持しているため、万一、上下動プレート２３３を上方に付勢するコイルばね２３５が脱落する等の事態が生じたとしても、この上下動プレート２３３が自由落下することが防止され、ロックが勝手に解除されることを防止できる。
また、この実施形態では、上下動プレート２３３が、装置本体２１０の高さの半分よりも長い長尺な部材として形成され、この上下動プレート２３３の上端部及び下端部にそれぞれ爪部材２３１，２３１を一体に設けているため、これら爪部材２３１，２３１と係合孔２４１，２４１とが係合した場合に、高さの高いＣＲユニット２００の装置本体２１０全体を均一にロックすることができ、この装置本体２１０をフレーム枠２１１に確実にロックすることができる。さらに、２つの爪部材２３１，２３１を上下動プレート２３３に一体に設けているため、これら爪部材２３１，２３１を同時に作動させることができ、ロック動作及びロック解除動作を簡単かつ確実に行うことができる。
【００２７】
次に、装置本体２１０を引き抜く場合には、図７（Ｃ）に示すように、上下動プレート２３３に設けられた摘み操作部２３６を下方に押し下げると、爪部材２３１，２３１の係合凹部２３１Ｂ，２３１Ｂが係合孔２４１，２４１の上縁部２４１Ａ，２４１Ａから外れてロックが解除される。この場合、上下動プレート２３３のローラ２３８は、解除保持部材２４４の当接部２４７上を移動することで、この解除保持部材２４４を更に図中Ｘ２方向に回動させる。しかし、当接部２４７とローラ２３８とが係合しなくなると、コイルばね２４６のばね力により、解除保持部材２４４が図中Ｘ１方向に回動し、この解除保持部材２４４の規制部２４８がローラ２３８の上方に延在し、このローラ２３８（上下動プレート２３３）の上方への移動を規制する。これにより、ロック解除状態が保持される。
そして、装置本体２１０を、把持部２０５をつかんで引くことにより、この装置本体２１０がフレーム枠２１１の上ガイドフレーム２２１及び下ガイドフレーム２２３に案内されて傾くことなく、円滑にかつまっすぐに引き抜くことができる。
本構成では、解除保持部材２４４は、ローラ２３８に向けて下方に傾斜する当接部２４６を備えるため、摘み操作部２３６を下方に押し下げる力を利用して解除保持部材２４４をローラ２３８の移動経路から退避させることができ、簡単かつ小さな力でロックの解除を行うことができる。さらに、解除保持部材２４４は、軸部材２４５の略真上に設けられた規制部２４８を備えるため、この規制部２４８がローラ２３８の上方に延在すると、ローラ２３８をどんなに押し上げても上下動プレート２３３が上方に移動することが規制され、ロック解除状態を確実に保持することができる。
【００２８】
以上、本実施形態によれば、フレーム枠２１１側に上下に間隔をあけてガイド軸２３２を設け、これらガイド軸２３２に沿って移動する上下動プレート２３３を設け、この上下動プレート２３３に前下がりのテーパ面としての上面部２３１Ａを有した爪部材２３１を設け、装置本体２１０側には該装置本体２１０を前進させたときに上下動プレート２３３の爪部材２３１が係合する係合孔２４１を設け、上下動プレート２３３は上方向にバネ付勢されており、装置本体２１０の前進時には上面部２３１Ａと係合孔２４１の上縁部２４１Ａとが協働して上下動プレート２３３を押し下げて前進し、爪部材２３１と係合孔２４１との完全係合位置に至ると、上面部２３１Ａと係合孔２４１の協働が解除されて、上下動プレート２３３がバネ力で押し上げられて爪部材２３１と係合孔２４１とが完全係合するため、極めて簡単な構成で装置本体２１０をフレーム枠２１１に容易にロックすることができる。さらに、フレーム枠２１１側に上下動可能な上下動プレート２３３に爪部材２３１を設けたため、装置本体２１０を取り外したときに、爪部材２３１が外部に露出することが防止されることにより、ロック機構２３０の損傷の抑制を図ることができる。
【００２９】
また、本実施形態によれば、上下動プレート２３３に摘み操作部２３６を設け、完全係合位置でコイルばね２３５のばね力に抗して摘み操作部２３６を押し下げると、上下動プレート２３３が押し下げられて、爪部材２３１と係合孔２４１との完全係合が解除されるため、簡単かつ確実に装置本体２１０をフレーム枠２１１とのロックを解除することができる。
【００３０】
また、本実施形態によれば、爪部材２３１と係合孔２４１との完全係合が解除されたとき、その解除位置を保持する解除保持部材２４４を備えたため、一度解除したロック機構２３０が再び作動することが防止され、装置本体２１０を引き抜く作業を容易化することができる。
【００３１】
以上、本発明の一実施形態について説明したが、本発明はこれに限定されるものではない。例えば、本実施形態では、上下動プレート２３３に２つの爪部材２３１，２３１を設ける構成について説明したが、３つ以上設けても構わない。また、プリペイド媒体としてＩＣコインの他にもプリペイドカードやＩＣカード等のカード型の記録媒体を用いることもできる。
また、本実施形態では、遊技媒体貸出装置に対応して設置される遊技機が封入球式のパチンコ機である場合について説明したが、これに限るものではなく、一般的な非封入球式のパチンコ遊技機（すなわち、遊技機の前面枠に貸玉や賞球を受ける受け皿を備え、盤面に投入する実遊技球が受け皿から発射装置に供給される弾球遊技機）や、メダルを投入して遊技するスロットマシン、アレンジボール、じゃん球、等の遊技機が設置された遊技島において、これら遊技機の台間または側方に設置される遊技媒体貸出装置すべてに本発明を適用できることは勿論である。
【符号の説明】
【００３２】
１０  遊技機島
１００  パチンコ遊技機
１５５  球貸ボタン
１５７  返却ボタン
２００  ＣＲユニット（遊技媒体貸出装置）
２０１  紙幣挿入口
２０３  コイン投入口
２０５  把持部
２０７  コイン排出口
２０９  会員カード挿入口
２１０  装置本体
２１１  フレーム枠
２１３  紙幣識別ユニット
２１５  コインユニット
２１７  会員カード読取ユニット
２１９  制御ユニット
２２１  上ガイドフレーム
２２３  下ガイドフレーム
２２５  垂直ガイドフレーム
２２５Ａ  側縁部
２２６  開口
２３０  ロック機構
２３１  爪部材
２３１Ａ  上面部（テーパ面）
２３１Ｂ  係合凹部
２３２  ガイド軸
２３３  上下動プレート
２３４  ガイド孔
２３６  摘み操作部
２３８  ローラ
２４１  係合孔
２４１Ａ  上縁部
２４２  切欠
２４４  解除保持部材（保持部材）
２４５  軸部材
２４７  当接部
２４８  規制部
【図１】
0005641564.tif 000002
【図２】
0005641564.tif 000003
【図３】
0005641564.tif 000004
【図４】
0005641564.tif 000005
【図５】
0005641564.tif 000006
【図６】
0005641564.tif 000007
【図７】
0005641564.tif 000008